(57)【要約】【課題】  垂直な状態、例えば、部屋の壁や掲示板などに貼り付けられている被転写面に修正塗膜転写テープを転写する場合には、前記テープカセットが重力により被転写面と直角方向に回転してしまうことがあり、これに伴って修正塗料転写テープも被転写面に対して直角な方向に向いてしまい、却って転写しにくくなってしまうと言った問題が発生してしまっていた。【解決手段】  軸筒内に塗膜転写用ヘッドを回転自在に配置すると共に、その塗膜転写用ヘッドを復帰可能に配置した塗膜転写具。【選択図】  図１
2006205564.tif 000002
【特許請求の範囲】
【請求項１】
軸筒内に塗膜転写用ヘッドを回転自在に配置すると共に、その塗膜転写用ヘッドを復帰可能に配置したことを特徴とする塗膜転写具。
【請求項２】
前記塗膜転写用ヘッドを塗膜転写具本体に配置したことを特徴とする請求項１記載の塗膜転写具。
【請求項３】
前記塗膜転写具本体を軸筒内に配置したことを特徴とする請求項２に記載の塗膜転写具。
【発明の詳細な説明】
【技術分野】
【０００１】
本発明は、軸筒に塗膜転写用ヘッドを配置した塗膜転写具に関する。
【背景技術】
【０００２】
従来技術として未使用の修正塗料転写テープを巻装する供給リールと、この修正塗料転写テープを介して一体に連続し、使用後の修正塗料転写テープを巻き取る巻き上げリールを回転自在に内部に保持するテープカセットと、そのテープカセットの軸線方向より一体となる転写シャフトと支持シャフトを有し、ケースに回転自在に軸支されている塗膜転写具が知られている。
【０００３】
作用について説明すると、前記テープカセットが前記ケースと分離した状態で回転可能になっているため、転写時、前記テープカセットが回転しても修正塗料転写テープが捻れることがなく、また、被転写面に転写する際に、前記ケースが被転写面に対して傾いていても、それに追従してテープカセットと共に押圧転写部が回転し、その結果、前記修正塗料転写テープが常に被転写面に沿うように転写されるため正確な転写が得られる。
【特許文献１】特開２０００−３４３８９０号公報
【発明の開示】
【発明が解決しようとする課題】
【０００４】
前記従来技術にあっては被転写面が水平な状態でのみ有効に作用する。つまり、修正塗料転写テープが被転写面と平行となり、常に被転写面に沿うように転写されるため正確に転写することができるのである。しかし、被転写面が水平でない状態、例えば、被転写面が傾いている場合においては、修正塗料転写テープが被転写面と常に傾いている状態となるため正確に転写することが難しくなってしまうことがあった。具体的に説明すると、垂直な状態、例えば、部屋の壁や掲示板などに貼り付けられている被転写面に修正塗膜転写テープを転写する場合には、前記テープカセットが重力により被転写面と直角方向に回転してしまうことがあり、これに伴って修正塗料転写テープも被転写面に対して直角な方向に向いてしまい、かえって転写しにくくなってしまうと言った問題が発生してしまっていた。その為、使用者は常に被転写面が水平な状態であるか意識し確認する必要があり煩わしいものとなってしまっていた。
【課題を解決するための手段】
【０００５】
本発明は、上記の課題に鑑みてなされたものであって、軸筒内に塗膜転写用ヘッドを回転自在に配置すると共に、その塗膜転写用ヘッドを復帰可能に配置したことを要旨とし、使用者が被転写面の水平状態を意識せずに、正確に転写することができる操作性と簡便性にすぐれた塗膜転写具の提供を目的とする。
【発明の効果】
【０００６】
本発明は、軸筒内に塗膜転写用ヘッドを回転自在に配置すると共に、その塗膜転写用ヘッドを復帰可能に配置したので、使用者が被転写面の水平状態または傾きを意識しなくとも、被転写面に塗膜転写用ヘッドを押し付けることにより塗膜転写用ヘッドが回転し、被転写面と平行となり常に被転写面に沿うように転写されるため正確な転写が得られる。
また、転写後は使用者が塗膜転写用ヘッドを被転写面から離すことにより回転していた塗膜転写用ヘッドが弾撥部材の付勢により元の位置に戻るため、再使用する際にも前回と同様の状態で転写することができる。
【発明を実施するための最良の形態】
【０００７】
作用について説明する。塗膜転写用ヘッドがある程度の回転規制を受けながらも回転し、被転写面と平行となる。この塗膜転写用ヘッドの回転により、常に被転写面に沿うように転写される。そのため、使用者は被転写面の水平状態を意識せずに転写操作が行える。
【０００８】
本発明の実施の形態の１例を図１〜３に示し説明する。本実施例の後軸２は前軸１と尾栓３にそれぞれ前方、後方に着脱自在に螺合されている。前記後軸２と前記尾栓３の螺合に関しては使用者が誤って外さないように圧入や接着などの固定方法にしても良い。
修正塗料転写テープＴが内蔵された塗膜転写具本体４は外周面４ａと前記前軸１の内径部に形成されているリブ１ａと回転自在となっている。前記塗膜転写具本体４の前方に配置している段部４ｂは前記前軸１の内径部の前方に形成されている段部１ｂと当接しており、前記塗膜転写具本体４の前方への移動を阻止している。即ち、塗膜転写具本体４の段部４ｂはストッパーの役目をなしている。
前記塗膜転写具本体４の後方には回転子５が位置しており、前記回転子５の外周面５ａと前記後軸２の内径部に形成されているリブ２ａと回転自在となっている。前記回転子５の前方に配置している段部５ｂは前記後軸２の内径部の前方に形成されている段部２ｂと当接しており、前記回転子５の前方への移動を阻止している。即ち、回転子５の段部５ｂは、ストッパーの役目をなしている。また、前記回転子５の前方に形成されている凸部５ｃは前記塗膜転写具本体４の後方に配置しているスリット４ｃに挿着されており、前記回転子５が回転すると塗膜転写具本体４が連動して回転するようになっている。
また、前記塗膜転写具本体４と回転子５の回転範囲は、前記後軸２の内面に形成されている隣り合う段部２ａによって構成される凹部２ｃの幅によって設定されている。つまり前記回転子５の前方に配置している凸部５ｃが凹部２ｃに遊挿されており、隣り合う段部２ａに当接することによって回転角度が制限されている。
前記回転子５の後方には摺動子６が位置しており、その摺動子６の前方に形成されている軸部６ａが前記回転子５の貫通穴部５ｄに挿入している。また、前記回転子５の後方には斜面５ｅが形成されており、その斜面５ｅには前記摺動子６の前方に配置している突起部６ｂが当接している。
更に、前記摺動子６の外周面には凸部６ｃが形成されており、その凸部６ｃは前記後軸２の内周面に形成されている溝部２ｄに挿着されているが、前後動可能ではあるが回転不能に挿着されている。なお、前記後軸２の溝部２ｄは後軸２の中間部まで形成されており、よって、摺動子６の移動距離も後軸２の中間部で阻止される。
尚、前記摺動子６の後方と尾栓３の内壁面との間には、弾撥部材７が常に圧縮された状態で張設されている。その弾撥部材７は、その一端が尾栓３の内径部に形成されている穴部３ａに嵌り込んでおり、他端が前記摺動子６の後方に配置している軸部６ｄに嵌挿している。つまり、弾撥部材７の両端部を孔や軸に嵌め込むことにより弾撥部材の振れや脱落を防止しているのである。
【０００９】
次に動作の説明をする。転写時、最初に前軸１の角部４ｄが被転写面に接触する。このとき、前記前軸１の角部４ｄは軸芯より外側にあるため塗膜転写具本体４には回転しようとする力が発生する。その塗膜転写具本体４の回転により、後方に位置している回転子５も回転する。塗膜転写具本体４のスリット４ｃに回転子５の凸部５ｃが係合しているためである。しかし、前記回転子５は凸部５ｃと後軸２の凹部２ｃよって回転角度が制限されているため、大きな回転動作は発生しない。本実施例では左右方向に２０度の範囲となっているが後軸２の凹部２ｃの幅を変えれば任意に角度を調整できる。即ち、例えば１８０度以上の回転を得ることもできるが、塗膜転写用ヘッドが１８０度回転した状態で、つまり、非塗膜テープ側で転写操作を行ってしまう危険性があり実用的ではない。
ここで、前述したように、前記摺動子６は前記回転子５の後方に位置し、その回転子５の貫通穴部５ｂに摺動子６の軸部６ａが挿入されていると共に、回転子５の斜面５ｅと摺動子６の突起部６ｂが当接している。また、前記摺動子６は凸部６ｃと前記後軸２の溝部２ｄに挿着されているため、前記回転子５が回転すると前記摺動子６は軸方向の後方へ移動する。この時、前記摺動子６は前記摺動子６の後方に位置する弾撥部材７は常に圧縮された状態により、軸方向の前方へ付勢している。これにより、前記塗膜転写用ヘッド４は常に元の位置に復帰する力が作用している。
【００１０】
前記動作により転写時に被転写面と接触している塗膜転写具本体４の転写部４ｅが前記皮膜転写面と平行となるが、前記塗膜転写具本体４のヘッド４ｆが捻られた状態になるため正確に転写することができる。
【００１１】
使用後、被転写面から塗膜転写具本体４のヘッド４ｆが離れると、塗膜転写具本体４が使用前の回転位置へ戻り、次の使用に備える。
【００１２】
なお、本実施例では、環境を考慮して、前軸１と後軸１を螺着によって着脱自在なものとし、塗膜転写具本体を交換が可能なものとしているが、塗膜転写具本体の交換が出来ないような構造を採用しても良い。部品の一体化、組み立て工数の削減などにより安価な製品を提供することができるようになる。
【産業上の利用可能性】
【００１３】
このような実施の形態を採用したことで使用時、塗膜転写用ヘッドが回転し、被転写面と平行となり常に被転写面に沿うように転写されるため正確に転写することができる。そのため、使用者が常に塗膜転写用ヘッドの状態を意識する必要がなく、操作性と簡便性の向上におおいに役立つ。
【図面の簡単な説明】
【００１４】
【図１】本発明の塗膜転写具の使用前/後の回転していない時の一実施例切断斜視図である。
【図２】図１の塗膜転写具の使用中の回転している時の一実施例切断斜視図である。
【図３】図１の塗膜転写具の分解斜視図である。
【符号の説明】
【００１５】
１      前軸
１ａ    リブ
１ｂ    段部
２      後軸
２ａ    リブ
２ｂ    段部
２ｃ    凹部
２ｄ    溝部
３      尾栓
３ａ    穴部
４      塗膜転写具本体
４ａ    外周面
４ｂ    段部
４ｃ    スリット
４ｄ    角部
４ｅ    転写部
４ｆ    ヘッド
５      回転子
５ａ    外周面
５ｂ    段部
５ｃ    凸部
５ｄ    貫通穴部
５ｅ    斜面
６      摺動子
６ａ    軸部
６ｂ    突起部
６ｃ    凸部
６ｄ    軸部
７      弾撥部材
Ｔ      修正塗料転写テープ
【図１】
2006205564.tif 000003
【図２】
2006205564.tif 000004
【図３】
2006205564.tif 000005